(57)【要約】【課題】電極端子との接触面積を増加させることにより接触抵抗を低減できる２次電池を提供する。【解決手段】第１極板、第２極板、および、セパレータを備えた電極組立体と、前記電極組立体が収容されるケースと、キャッププレート、絶縁プレート、ターミナルプレート、および、電極端子を有し、前記ケースの上段開口部に装着されてケースを密封するキャップ組立体と、を備える２次電池である。前記ターミナルプレートは、前記電極端子が挿入できるように上面から下面まで貫通する端子通孔を備え、前記ターミナルプレートの下面で、前記電極端子の直径が前記端子通孔の内径の大きさに比べてより大きい。【選択図】図１
2015162458.tif 000002
【特許請求の範囲】
【請求項１】
第１極板、第２極板、および、セパレータを備えた電極組立体と、前記電極組立体が収容されるケースと、キャッププレート、絶縁プレート、ターミナルプレート、および、電極端子を有し、前記ケースの上段開口部に装着されてケースを密封するキャップ組立体と、を備える２次電池であって、
前記ターミナルプレートは、前記電極端子が挿入できるように上面から下面まで貫通する端子通孔を備え、前記ターミナルプレートの下面で、前記電極端子の直径が前記端子通孔の内径の大きさに比べてより大きいことを特徴とする２次電池。
【請求項２】
前記ターミナルプレートは、上面での前記端子通孔の内径に比べて下面での前記端子通孔の内径がより大きいことを特徴とする、請求項１に記載の２次電池。
【請求項３】
前記ターミナルプレートは、上面での前記端子通孔の形状と、下面での前記端子通孔の形状とが互いに異なることを特徴とする、請求項１に記載の２次電池。
【請求項４】
前記ターミナルプレートは、前記上面で前記端子通孔の中心軸へ向かって水平に突出した突出部をさらに備えることを特徴とする、請求項１に記載の２次電池。
【請求項５】
前記端子通孔は、
前記ターミナルプレートの上面から下面方向に形成された第１端子通孔と、
前記ターミナルプレートの下面から上面方向に形成され、前記第１端子通孔の内径である第１内径よりさらに大きい内径である第２内径を有する第２端子通孔と、を含むことを特徴とする、請求項１に記載の２次電池。
【請求項６】
前記第１端子通孔と前記第２端子通孔の間には、少なくとも一つの段差が備えられていることを特徴とする、請求項５に記載の２次電池。
【請求項７】
前記第１端子通孔の中心軸と前記第２端子通孔の中心軸は、同一線上に位置することを特徴とする、請求項５に記載の２次電池。
【請求項８】
前記第１端子通孔の中心軸に沿った前記第１端子通孔の高さは、前記第２端子通孔の中心軸に沿った前記第２端子通孔の高さに比べて、より大きいことを特徴とする、請求項５に記載の２次電池。
【請求項９】
前記ターミナルプレートの上面で、前記端子通孔の形状は円形であることを特徴とする、請求項１に記載の２次電池。
【請求項１０】
前記ターミナルプレートの下面で、前記端子通孔の形状は円形、多角形のうちの一つであることを特徴とする、請求項１に記載の２次電池。
【請求項１１】
前記キャッププレートは、前記電極端子が挿入できるように上面から下面まで貫通する端子通孔を備え、前記電極端子の外周部を囲むガスケットによって前記電極端子と電気的に絶縁されていることを特徴とする、請求項１に記載の２次電池。
【請求項１２】
前記絶縁プレートは、前記電極端子が挿入できるように上面から下面まで貫通する端子通孔を備え、前記キャッププレートと前記ターミナルプレートとの間に介在していることを特徴とする、請求項１１に記載の２次電池。
【請求項１３】
第１極板、第２極板、および、セパレータを備えた電極組立体と、前記電極組立体および電解液が収容されるケースと、キャッププレート、絶縁プレート、ターミナルプレート、および、電極端子を有し、前記ケースの上段開口部に装着されてケースを密封するキャップ組立体と、を備える２次電池であって、
前記ターミナルプレートは、前記電極端子が挿入できるように上面から下面まで貫通する端子通孔を備え、前記端子通孔内で、前記ターミナルプレートは上面と下面との間に少なくとも一つの段差を備えていることを特徴とする２次電池。
【請求項１４】
前記ターミナルプレートは、上面での前記端子通孔の内径に比べて下面での前記端子通孔の内径がさらに大きいことを特徴とする、請求項１３に記載の２次電池。
【発明の詳細な説明】
【技術分野】
【０００１】
本発明は２次電池に関する。
【背景技術】
【０００２】
最近、セルラーホン、ノートパソコン、カムコーダーなどのコンパクトで軽量化された電気／電子装置が、活発に開発および生産されている。このような携帯用電気／電子装置は、別途の電源が備えられていない場所でも作動するように、電池パックを内蔵している。内蔵された電池パックは、携帯用電気／電子装置を一定の期間駆動するために一定の大きさの電圧を出力できるように、内部に少なくとも一つの電池を備えている。こうした電池パックは、経済的な側面を考慮して、充放電可能な２次電池を採用している。
【０００３】
一般に、２次電池は、電極組立体、電極組立体を収容するケース、ケース内側に注入される電解液、および、ケースを密封するキャップ組立体、などからなる。電極組立体は、正極活物質がコーティングされた正極電極板と、負極活物質がコーティングされた負極電極板と、これらの正極電極板と負極電極板との間に位置して短絡を防止するセパレータと、が巻き取られたものである。電極組立体を収容したケース内に電解液を注入した後、キャップ組立体によりケースを密封することで、２次電池が製造される。
【０００４】
２次電池のキャップ組立体は、端子通孔を備えたキャッププレート、端子通孔を備えたターミナルプレート、端子通孔を備えた絶縁プレート、および、電極端子、などを備える。ターミナルプレートは、キャッププレートの下側に位置する。絶縁プレートは、キャッププレートとターミナルプレートとの間に介在して、キャッププレートとターミナルプレートとの間を電気的に絶縁させる。電極端子は、キャッププレート、絶縁プレート、および、ターミナルプレートの端子通孔に挿入されて、ターミナルプレートと電気的に接続される。
【０００５】
上記の電極端子は、スピニング（spinning）設備により回転および圧力が印加され、キャッププレート、絶縁プレート、および、ターミナルプレートの端子通孔内で焼成変形して結合される。しかしこのとき、この電極端子は、回転によってテーパ（taper）づけられることになる。これによって、電極端子とターミナルプレートとの接触面積が減少するため、接触抵抗が増加するという問題が発生する。
【発明の概要】
【発明が解決しようとする課題】
【０００６】
本発明は、上述した従来の問題点を克服するためのものである。すなわち、本発明の目的は、電極端子との接触面積を増加させることにより接触抵抗を低減できる２次電池を提供することにある。
【課題を解決するための手段】
【０００７】
上記の目的を達成するために、本発明による２次電池は、第１極板、第２極板、および、セパレータを備えた電極組立体と、前記電極組立体が収容されるケースと、キャッププレート、絶縁プレート、ターミナルプレート、および、電極端子を有し、前記ケースの上段開口部に装着されてケースを密封するキャップ組立体と、を備える２次電池であって、前記ターミナルプレートは、前記電極端子が挿入できるように上面から下面まで貫通する端子通孔を備え、前記ターミナルプレートの下面で、前記電極端子の直径が前記端子通孔の内径の大きさに比べて、より大きいことが好ましい。
【０００８】
前記ターミナルプレートは、上面での前記端子通孔の内径に比べて、下面での前記端子通孔の内径がより大きいことが可能である。
【０００９】
前記ターミナルプレートは、上面での前記端子通孔の形状と、下面での前記端子通孔の形状とが互いに異なることが可能である。
【００１０】
前記ターミナルプレートは、前記上面で前記端子通孔の中心軸へ向かって水平に突出した突出部をさらに備えることが可能である。
【００１１】
前記端子通孔は、前記ターミナルプレートの上面から下面方向に形成された第１端子通孔と、前記ターミナルプレートの下面から上面方向に形成され、前記第１端子通孔の内径である第１内径よりさらに大きい内径である第２内径を有する第２端子通孔と、を含むことができる。
【００１２】
前記第１端子通孔と前記第２端子通孔との間には、少なくとも一つの段差が備えられることが可能である。
【００１３】
前記第１端子通孔の中心軸と前記第２端子通孔の中心軸は、同一線上に位置することができる。
【００１４】
前記第１端子通孔の中心軸に沿った前記第１端子通孔の高さは、前記第２端子通孔の中心軸に沿った前記第２端子通孔の高さに比べて、より大きいことが可能である。
【００１５】
前記ターミナルプレートは、上面で前記端子通孔の形状が円形であることが可能である。
【００１６】
前記ターミナルプレートは、下面で前記端子通孔の形状が円形、多角形のうちいずれか一つであることが可能である。
【００１７】
前記キャッププレートは、前記電極端子が挿入できるように上面から下面まで貫通する端子通孔を備え、前記電極端子の外周部を囲むガスケットによって前記電極端子と電気的に絶縁されることが可能である。
【００１８】
前記絶縁プレートは、前記電極端子が挿入できるように上面から下面まで貫通する端子通孔を備え、前記キャッププレートと前記ターミナルプレートとの間に介在することが可能である。
【００１９】
また、前記目的を達成するために、本発明による２次電池は、第１極板、第２極板、および、セパレータを備えた電極組立体と、前記電極組立体および電解液が収容されるケースと、キャッププレート、絶縁プレート、ターミナルプレート、および、電極端子を有し、前記ケースの上段開口部に装着されてケースを密封するキャップ組立体と、を備える２次電池であって、前記ターミナルプレートは前記電極端子が挿入できるように上面から下面まで貫通する端子通孔を備え、前記端子通孔内で、前記ターミナルプレートは上面と下面との間に少なくとも一つの段差を備えることが可能である。
【００２０】
前記ターミナルプレートは、上面での前記端子通孔の内径に比べて下面での前記端子通孔の内径がさらに大きいことが可能である。
【発明の効果】
【００２１】
本発明による２次電池は、ターミナルプレートの端子通孔の上部に比べて下部がさらに大きく段差づけられるように形成して、電極端子との接触面積を増加させることができるので、接触抵抗が低減できることになる。
【図面の簡単な説明】
【００２２】
【図１】本発明による２次電池を示す分解斜視図である。
【図２ａ】図１の２次電池のキャップ組立体の底面図である。
【図２ｂ】図１の２次電池のキャップ組立体の部分断面図である。
【図３ａ】図１の２次電池の一実施形態によるターミナルプレートを示した底面斜視図である。
【図３ｂ】図１の２次電池の一実施形態によるターミナルプレートを示した断面図である。
【図４】図１の２次電池の他の実施形態によるターミナルプレートを示した底面斜視図である。
【図５ａ】図１の２次電池の他の実施形態によるターミナルプレートを示した底面斜視図である。
【図５ｂ】図１の２次電池の他の実施形態によるターミナルプレートを示した断面図である。
【発明を実施するための形態】
【００２３】
以下、当業者が本発明を容易に実施できるように、本発明の望ましい実施形態を添付図面を参照して詳細に説明する。ここで、明細書全体にわたって類似の構成および動作を有する部分については、同一符号を付ける。
【００２４】
図１は、本発明による２次電池を示す分解斜視図である。図２ａは、図１の２次電池のキャップ組立体の底面図であり、図２ｂは、図２ａにおける２ｂ−２ｂ線で切断した断面図である。図３ａは、図１の２次電池の一実施形態によるターミナルプレートを示した底面斜視図であり、図３ｂは、図３ａにおける３ｂ−３ｂ線で切断した断面図である。
【００２５】
以下、図１から図３ｂを参照して、本発明による２次電池について説明する。
【００２６】
本発明の２次電池１００は、電極組立体１１０、電極組立体１１０を収容するケース１２０、および、ケース１２０の上段開口部１２０ａを密封するキャップ組立体１３０を含む。
【００２７】
電極組立体１１０は、第１電極板１１１と第２電極板１１２がセパレータ１１３を間に挟んで積層された後、巻き取られたゼリーロール（jelly-roll）形態を有することができる。第１電極板１１１と第２電極板１１２は互いに異なる極性を有する。第１電極板１１１は正極板、第２電極板１１２は負極板であることが可能であり、その逆も可能である。
【００２８】
電極組立体１１０は、第１電極板１１１および第２電極板１１２にそれぞれ溶接された第１電極タップ１１４および第２電極タップ１１５をさらに備える。すなわち、第１電極タップ１１４は、電極組立体１１０の第１電極板１１１と同一の極性を有し、第２電極タップ１１５は、電極組立体１１０の第２電極板１１２と同一の極性を有する。以下、第１電極タップ１１４が正極タップであり、第２電極タップ１１５が負極タップである場合について説明する。第１電極タップ１１４および第２電極タップ１１５は、電極組立体１１０の上部から突出する。また、電極組立体１１０は、第１電極タップ１１４と第２電極タップ１１５が引き出される境界部に設けられ、且つ極性が異なる電極板と短絡することを防止する絶縁テープ１１６をさらに備えることができる。
【００２９】
ケース１２０は、電極組立体１１０を内部の空間に内蔵できるように六面体またはそれ以外の形状に形成することができるが、六面体に形成することが好ましい。ケース１２０は、上段開口部１２０ａを有し、この上段開口部１２０ａを通じて、電極組立体１１０が内部の空間に収容される。ケース１２０は、金属材からなることができ、それ自体が端子の役割を果たすことが可能である。ケース１２０は、軽量のアルミニウムまたはアルミニウム合金からなることができる。
【００３０】
キャップ組立体１３０は、キャッププレート１４０、絶縁プレート１５０、ターミナルプレート１６０、および、電極端子１７０を含む。キャップ組立体１３０は、別途の絶縁ケース１８０と連結した状態でケース１２０の上段開口部１２０ａに装着され、ケース１２０を密封することができる。
【００３１】
キャッププレート１４０は、ケース１２０の上段開口部１２０ａに相応する大きさおよび形状の金属板であることが可能である。電極組立体１１０の第１電極タップ１１４は、絶縁ケース１８０を貫通して、キャッププレート１４０の下面に溶接することができる。すなわち、キャッププレート１４０は、電極組立体１１０の第１電極タップ１１４と同一の極性を有する。
【００３２】
キャッププレート１４０の中央には、上面から下面まで貫通する端子通孔１４１が形成され、端子通孔１４１には電極端子１７０が挿入される。端子通孔１４１の内壁には、電極端子１７０とキャッププレート１４０との間の絶縁のために、チューブ状のガスケット１４３が装着される。ガスケット１４３は、端子通孔１４１と電極端子１７０の間に密着し、電極端子１７０とキャッププレート１４０とを電気的に絶縁する。すなわち、キャッププレート１４０の端子通孔１４１は、ガスケット１４３の外径と対応する大きさであることが可能である。
【００３３】
キャッププレート１４０の片隅には、さらに電解液注入口１４２が備えられる。これは、キャップ組立体１３０が、ケース１２０の上段開口部１２０ａに装着された後で、ケース１２０の内部空間に電解液を注入するためのものである。電解液注入口１４２は、ケース１２０に電解液が注入された後、キャップ１４４により密閉される。
【００３４】
絶縁プレート１５０は、絶縁物質からなり、キャッププレート１４０とターミナルプレート１６０との間に介在して、キャッププレート１４０とターミナルプレート１６０を電気的に絶縁する。絶縁プレート１５０は、電極端子１７０を挿入するための端子通孔１５１が、キャッププレート１４０の端子通孔１４１と対応する位置に備えられている。絶縁プレート１５０の端子通孔１５１には、電極端子１７０が挿入される。絶縁プレート１５０の端子通孔１５１と電極端子１７０との間には、ガスケット１４３が介在する。また、絶縁プレート１５０の端子通孔１５１は、ガスケット１４３の外径と対応する大きさであることが可能である。すなわち、絶縁プレート１５０の端子通孔１５１は、キャッププレート１４０の端子通孔１４１と対応する大きさであることが可能である。
【００３５】
ターミナルプレート１６０は、上面１６０ａが絶縁プレート１５０の下面に密着した金属板であることが可能である。ターミナルプレート１６０の下面１６０ｂは、絶縁ケース１８０の上面の上に配置される。すなわち、ターミナルプレート１６０は、絶縁プレート１５０と絶縁ケース１８０との間に介在する。ターミナルプレート１６０は、上面１６０ａの大きさが絶縁プレート１５０の下面の大きさに比べてより小さいことが望ましい。ターミナルプレート１６０は、絶縁プレート１５０によりキャッププレート１４０と電気的に絶縁される。電極組立体１１０の第２電極タップ１１５は、絶縁ケース１８０を貫通して、ターミナルプレート１６０の下面１６０ｂに溶接することができる。
【００３６】
ターミナルプレート１６０には、上面１６０ａから下面１６０ｂまで貫通する端子通孔１６１が形成され、端子通孔１６１に電極端子１７０が挿入されて、ターミナルプレート１６０と電極端子１７０とが電気的に接続される。ターミナルプレート１６０の端子通孔１６１は、キャッププレート１４０の端子通孔１４１が形成された位置と対応する位置に備えられている。
【００３７】
端子通孔１６１において、ターミナルプレート１６０の上面１６０ａでの内径である第１内径ａは、ターミナルプレート１６０の下面１６０ｂでの内径である第２内径ｂに比べて、より小さい。すなわち、ターミナルプレート１６０では、上面１６０ａの端子通孔１６１の形状と、下面１６０ｂでの端子通孔１６１の形状とが互いに異なる。
【００３８】
端子通孔１６１は、ターミナルプレート１６０の上面１６０ａから下面１６０ｂ方向に形成された第１端子通孔１６１ａと、ターミナルプレート１６０の下面１６０ｂから上面１６０ａ方向に形成された第２端子通孔１６１ｂからなる。このとき、第１端子通孔１６１ａと第２端子通孔１６１ｂの中心軸１６１ｃは、同一線上に位置する。第１端子通孔１６１ａの内径は、上記のターミナルプレート１６０の上面１６０ａでの内径である第１内径ａと同一であり、第２端子通孔１６１ｂの内径は、上記のターミナルプレート１６０の下面１６０ｂでの内径である第２内径ｂと同一である。すなわち、第１端子通孔１６１ａの第１内径ａに比べて、第２端子通孔１６１ｂの第２内径ｂがより大きい。端子通孔１６１は、第１端子通孔１６１ａと第２端子通孔１６１ｂの内径の大きさの差により、少なくとも一つの段差を有する。
【００３９】
ターミナルプレート１６０は、上面１６０ａから端子通孔１６１の中心軸１６１ｃへ向かって水平に突出した突出部１６２をさらに備える。すなわち、突出部１６２により、第１端子通孔１６１ａの第１内径ａは、第２端子通孔１６１ｂの第２内径ｂに比べて、さらに小さくなる。このとき、端子通孔１６１の中心軸１６１ｃに沿った第１端子通孔１６１ａの高さは、端子通孔１６１の中心軸１６１ｃに沿った第２端子通孔１６１ｂの高さに比べて、より高いことが可能である。また、ターミナルプレート１６０では、第１内径ａがチューブ状のガスケット１４３の内径に比べてより小さくなるように、突出部１６２を端子通孔１６１の中心方向にガスケット１４３の内径よりさらにせり出させることができるが、本発明はこれに限定されるものではない。
【００４０】
ターミナルプレート１６０の第１端子通孔および突出部１６２の下面１６２ａは、電極端子１７０に密着して接触させることが可能である。すなわち、ターミナルプレート１６０は、電極端子１７０と電気的に接続する。このとき、突出部１６２の下面１６２ａのうち、第２端子通孔１６１ｂの縁と隣接した領域の一部は、電極端子１７０と接触させずに下方へ露出させることが可能である。すなわち、電極端子１７０の下面の直径ｘより、ターミナルプレート１６０の第２内径ｂの大きさがさらに大きい。
【００４１】
第１端子通孔１６１ａは、電極端子１７０の外周面との接触のために、電極端子１７０の柱形状と同じ柱形状であることが可能である。これに対して、第２端子通孔１６１ｂの形状は、第１端子通孔１６１ａと同じ柱形状であることも可能である。しかし、図４に示されているターミナルプレート２６０では、第２端子通孔２６１ｂの断面形状は四角形であることも可能である。図４で、ターミナルプレート２６０の第２端子通孔２６１ｂは四角柱形であることを示したが、その形状に限定されるものではなく、少なくとも２辺以上を有する他の多角柱形形状を有することもできる。
【００４２】
また、図５に示されているターミナルプレート３６０では、第１端子通孔１６１ａと第２端子通孔１６１ｂの間に第３端子通孔３６１ｃがさらに備えられる。第３端子通孔３６１ｃは、内径が第１端子通孔１６１ａの第１内径ａに比べてより大きく、第２端子通孔１６１ｂの第２内径ｂに比べてより小さいことが可能である。すなわち、第１端子通孔１６１ａと第２端子通孔１６１ｂの間には、端子通孔３６１の内径の大きさの差により、段差を２つ備えることができるが、本発明は、特に段差の個数を限定するものではない。
【００４３】
電極端子１７０は、キャッププレート１４０、絶縁プレート１５０、および、ターミナルプレート１６０の端子通孔１４１、１５１、１６１を貫通するように挿入される。電極端子１７０は、円柱形状の金属ピンであることが可能である。電極端子１７０は、キャッププレート１４０、絶縁プレート１５０、および、ターミナルプレート１６０の端子通孔１４１、１５１、１６１に挿入される円柱形状の本体部１７１と、キャッププレート１４０の上面に一定の長さ突出した頭部１７２からなることができる。キャッププレート１４０の上面と電極端子１７０の頭部１７２の間は、ガスケット１４３によって電気的に絶縁される。
【００４４】
また、電極端子１７０の本体部１７１とキャッププレート１４０との間、電極端子１７０の本体部１７１と絶縁プレート１５０との間にはガスケット１４３が介在する。電極端子１７０は、ターミナルプレート１６０の端子通孔１６１に挿入されてターミナルプレート１６０と接触し、ターミナルプレート１６０と電気的に接続された陰極端子であることが可能である。
【００４５】
電極端子１７０は、キャッププレート１４０、絶縁プレート１５０、および、ターミナルプレート１６０の端子通孔１４１、１５１、１６１内に挿入されるとき、スピニング（Spinning）装置によって回転しながら挿入される。このとき、回転によって、電極端子１７０の下部は、回転中心軸１６１ｃの外側方向に広がり得る。しかし、ターミナルプレート１６０の端子通孔１６１は、下部がより大きく段差づけられるように形成されて、下部が回転中心軸１６１ｃの外側方向に広がった電極端子１７０との接触面積が増加するため、接触抵抗を減少させることができる。このとき、ターミナルプレート１６０の突出部１６２が、ガスケット１４３の内径に比べてより突出する場合、電極端子１７０との接触面積がさらに増加する。
【００４６】
絶縁ケース１８０は、絶縁物質からなり、キャップ組立体１３０と電極組立体１１０との間に介在してキャップ組立体１３０と電極組立体１１０の間を電気的に絶縁させる。また、絶縁ケース１８０は、キャップ組立体１３０の第１電極タップ１１４および第２電極タップ１１５を上部に突出するためのタップホール１８１、１８２を備える。すなわち、絶縁ケース１８０は、電極組立体１１０の上部のうち、引き出された第１電極タップ１１４および第２電極タップ１１５以外の部分と、キャップ組立体１３０との間を電気的に絶縁する。
【００４７】
以上の説明は、本発明による２次電池を実施するための一つの実施形態に過ぎないものであって、本発明は上記の実施形態に限定されるものではなく、以下の特許請求の範囲において請求するように、本発明の要旨を逸脱することなく当業者であれば、誰でも多様な変更実施が可能な範囲にまで本発明の技術的精神がいるとみなされる。
【符号の説明】
【００４８】
ａ  第１内径
ｂ  第２内径
ｘ  電極端子１７０の下面の直径
２ｂ、３ｂ、５ｂ  切断線
１００  ２次電池
１１０  電極組立体
１１１  第１電極板
１１２  第２電極板
１１３  セパレータ
１１４  第１電極タップ
１１５  第２電極タップ
１１６  絶縁テープ
１２０  電極組立体１１０を収容するケース
１３０  キャップ組立体
１４０  キャッププレート
１４１、１５１、１６１、２６１、３６１  端子通孔
１４２  電解液注入口
１４３  ガスケット
１４４  電解液注入口１４２のキャップ
１５０  絶縁プレート
１６０、２６０、３６０  ターミナルプレート
１６２  突出部
１７０  電極端子
１７１  電極端子１７０の本体部
１７２  電極端子１７０の頭部
１８０  絶縁ケース
１８１、１８２  タップホール
１２０ａ  ケース１２０の上端開口部
１６０ａ  ターミナルプレート１６０の上面
１６０ｂ  ターミナルプレート１６０の下面
１６１ａ  第１端子通孔
１６１ｂ、２６１ｂ  第２端子通孔
１６１ｃ  第１端子通孔１６１ａと第２端子通孔１６１ｂの中心軸
１６２ａ  突出部１６２の下面
３６１ｃ  第３端子通孔
【図１】
2015162458.tif 000003
【図２ａ】
2015162458.tif 000004
【図２ｂ】
2015162458.tif 000005
【図３ａ】
2015162458.tif 000006
【図３ｂ】
2015162458.tif 000007
【図４】
2015162458.tif 000008
【図５ａ】
2015162458.tif 000009
【図５ｂ】
2015162458.tif 000010